(57)【要約】【課題】  受信信号の品質劣化を防止すると共に回路の小型化を図ることが可能な復調装置及び方法を提供する。【解決手段】  複数のチャンネル毎の信号が変調されているアナログ受信信号に対して第１のフィルタ処理するステップと、前記第１のフィルタ処理ステップにより得られた信号をデジタル信号に変換するステップと、前記デジタル信号に対してチャンネル毎に数値演算を行って前記複数のチャンネル毎の前記信号を同時に復調するステップとを有することを特徴とする復調方法を提供する。【選択図】          図１
2005151120.tif 000002
【特許請求の範囲】
【請求項１】
複数のチャンネル毎の信号が変調されているアナログ受信信号に対して第１のフィルタ処理するステップと、
前記第１のフィルタ処理ステップにより得られた信号をデジタル信号に変換するステップと、
前記デジタル信号に対してチャンネル毎に数値演算を行って前記複数のチャンネル毎の前記信号を同時に復調するステップとを有することを特徴とする復調方法。
【請求項２】
前記復調方法は、前記アナログ受信信号の周波数をより低い周波数に変換するステップを更に有し、
前記第１のフィルタ処理ステップは、前記より低い周波数を有する前記アナログ受信信号に対して前記第１のフィルタ処理を行うことを特徴とする請求項１記載の復調方法。
【請求項３】
前記復調ステップは、
前記デジタル信号から前記受信信号に同期した搬送波を再生するステップと、
前記デジタル信号から前記複数のチャンネルにおいて目的チャンネルに対応する信号を抽出する第２のフィルタ処理を行うステップと、
前記第２のフィルタ処理ステップにより得られた信号と前記搬送波を重畳するステップと、
前記重畳ステップ後の信号に対して第３のフィルタ処理を行って前記目的チャンネルの信号を生成するステップとを有することを特徴とする請求項１又は２記載の復調方法。
【請求項４】
前記復調ステップは、
前記デジタル信号から前記複数のチャンネルにおいて目的チャンネルに対応する信号を抽出する第２のフィルタ処理を行うステップと、
前記第２のフィルタ処理により得られた信号の成分を絶対値０に対して折り返すステップと、
前記折り返しステップにより得られた信号から前記目的チャンネルの搬送波を除去する第３のフィルタ処理を行うステップと、
前記第３のフィルタ処理の結果得られた信号を反転して前記目的チャンネルの信号を生成するステップとを有することを特徴とする請求項１又は２記載の復調方法。
【請求項５】
前記アナログ受信信号は、前記複数のチャンネル毎の前記信号が振幅変調、周波数変調又は位相変調されて多重化された信号であることを特徴とする請求項１記載の復調方法。
【請求項６】
複数のチャンネル毎の信号が変調されているアナログ受信信号に対してフィルタ処理を行うフィルタ回路と、
前記フィルタ回路の出力をデジタル信号に変換するＡ／Ｄ変換器と、
前記Ａ／Ｄ変換器に対してチャンネル毎に数値演算を行って前記複数のチャンネル毎の前記信号を同時に復調する復調部とを有することを特徴とする復調装置。
【請求項７】
前記復調装置は、前記アナログ受信信号の周波数をより低い周波数に変換する変換部を更に有し、
前記Ａ／Ｄ変換器は、前記より低い周波数を有する前記アナログ受信信号を前記デジタル信号に変換することを特徴とする請求項６記載の復調装置。
【発明の詳細な説明】
【技術分野】
【０００１】
本発明は、一般には、信号処理に係り、特に、テレビやラジオ等の複数チャンネルが多重化された信号の復調に関する。本発明は、例えば、多チャンネルのカラーテレビ信号の受信に好適である。
【背景技術】
【０００２】
従来、不特定多数の視聴者へ情報を伝達するために、有線又は無線を介した放送が広く行われている。送信側は、映像や音声などの信号を変調し、高周波の搬送波に重畳して放送する。一方、受信側は、受信した信号のうち選曲したチャンネルに応じた周波数帯域を選択増幅して映像信号や音声信号を復調する。ここで、テレビ放送に使用される周波数帯域は、例えば、ＶＨＦの場合で、９０ＭＨｚ乃至１０８ＭＨｚ、１７０ＭＨｚ乃至２２２ＭＨｚ、ＵＨＦの場合で４７０ＭＨｚ乃至７７０ＭＨｚとなっている。この周波数帯域は、国や地域によって若干異なっている。
【０００３】
図１３に従来のテレビ受像器１のブロック図を示している．変調・多重化された受信信号はアンテナ１０で励振され、分配器２０によって受信信号がチューナー３０Ａ及びチューナー３０Ｂに分配される。分配器２０は一般にトランスで構成されている。入力信号のパワーをＰｉとすると、分配器２０からチューナー３０Ａ及び３０Ｂに分配される受信信号のパワーＰｉ０、Ｐｉ１はそれぞれ以下のように減少する。なお、下式において、２はチューナー（又はチャンネル）の数に対応し、チューナーの数がｎであればＰｉ／ｎとなる。
【０００４】
【数１】
2005151120.tif 000003
【０００５】
【数２】
2005151120.tif 000004
【０００６】
分配器２０によって分配された信号は、各チューナーの入力回路３１を経て高周波増幅回路３２に入る。この高周波増幅回路３２を経て増幅された受信高周波信号は，チャンネル選択回路３４により、局部発信器３５で選局するチャンネルを示す選局信号に応じた周波数を出力する。
【０００７】
図１４にテレビ放送のチャンネル配置例を示す。それぞれのチャンネルは６ＭＨｚ毎に配置され、そのチャンネル内に映像信号、色信号、音声信号がそれぞれの搬送波信号により変調されている。
【０００８】
次に、その後の回路３６及び３７の処理を容易にするために、ミキサ３３が、局部発信器３５の局部発信周波数信号と入力信号とを混合し、所定の中間周波数（ｆｖ＝５８．７５ＭＨｚ、ｆｓ＝５４．２５ＭＨｚ）の信号に変換する。例えば、チャンネル１の場合、映像搬送波（又はキャリア）は９１．２５ＭＨｚなので１５０ＭＨｚ（９１．２５＋５８．７５）の局部発信周波数信号が加えられる。また、チャンネル２の場合、映像搬送波は９７．２５ＭＨｚなので１５６ＭＨｚ（９７．２５＋５８．７５）の局部発信周波数信号が重畳される。
【０００９】
変換された中間周波信号は映像中間周波増幅器３６で増幅され，映像検波回路３７で、カラーテレビ信号に変換される。
【００１０】
このように、従来の電子チューナーを使用した複数チャンネルの受信器１は、チューナーが１つのチャンネルの信号を選択抽出する構成であったため、これらの受信機を複数使用することで受信していた。なお、その他の従来の電子チューナーは、例えば、特許文献１に開示されている。また、チャンネル周波数及び受信回路の構成は非特許文献１にも開示されている。
【特許文献１】特開平１１−２９８３４６号公報
【非特許文献１】ＮＨＫ、テレビ技術教科書［上］、日本放送協会編、第２２頁、第１２１頁乃至第１５１頁
【発明の開示】
【発明が解決しようとする課題】
【００１１】
従来の復調技術では、受信しようとするチャンネル毎にチューナーを用意し、前段に分配器を配置してチューナー毎に受信信号を分配していた。このため、アンテナで受信した信号はチューナーの数だけ減衰してしまい、チューナーが持つ固有ノイズによりＳ／Ｎ比が劣化する問題があった。
【００１２】
更に、従来のチューナーでは、復調を希望する特定のチャンネルに合わせて、局部発信器の発信周波数を調整して、受信信号を所定の中間周波信号に変換し、チャンネル毎に復調を行っていた。このため複数チャンネルが多重化された受信信号から複数チャンネルを同時に復調しようとすると、復調するチャンネル分の入力回路、高周波増幅回路、局部発信回路、ミキサ、映像中間増幅回路、映像検波回路が必要であった。より具体的には、チューナー３０Ａ及び３０Ｂは干渉によるノイズ発生を防止するために別々の筐体に収納されると共に各チューナー内の回路３２、３５なども原則としてノイズの発生を防止するために別個に収納される。このため複数チャンネルを同時に復調するためには，回路の大型化、コストアップを招くという問題があった。
【００１３】
そこで、本発明は、受信信号の品質劣化を防止すると共に回路の小型化を図ることが可能な復調装置及び方法を提供することを例示的な目的とする。
【課題を解決するための手段】
【００１４】
本発明の一側面としての復調方法は、複数のチャンネル毎の信号が変調されているアナログ受信信号に対して第１のフィルタ処理するステップと、前記第１のフィルタ処理ステップにより得られた信号をデジタル信号に変換するステップと、前記デジタル信号に対してチャンネル毎に数値演算を行って前記複数のチャンネル毎の前記信号を同時に復調するステップとを有することを特徴とする。従来のようにチャンネル毎にアナログ処理を行うのではなく、チャンネル毎にデジタル処理を行うために、受信信号の減衰がなく信号劣化がない。また、デジタル処理は、例えば、一つのデジタルシグナルプロセッサ（ＤＳＰ）を利用してハードウェア又はソフトウェア処理を行うことができるので、小型化を図ることができる。
【００１５】
前記復調方法は、前記アナログ受信信号の周波数をより低い周波数に変換するステップを更に有し、前記第１のフィルタ処理ステップは、前記より低い周波数を有する前記アナログ受信信号に対して前記第１のフィルタ処理を行ってもよい。低域処理によって帯域幅の小さな安価なＡ／Ｄ変換器を使用することができる。
【００１６】
前記復調ステップは、例えば、前記デジタル信号から前記受信信号に同期した搬送波を再生するステップと、前記デジタル信号から前記複数のチャンネルにおいて目的チャンネルに対応する信号を抽出する第２のフィルタ処理を行うステップと、前記第２のフィルタ処理ステップにより得られた信号と前記搬送波を重畳するステップと、前記重畳ステップ後の信号に対して第３のフィルタ処理を行って前記目的チャンネルの信号を生成するステップとを有する。代替的に、前記復調ステップは、前記デジタル信号から前記複数のチャンネルにおいて目的チャンネルに対応する信号を抽出する第２のフィルタ処理を行うステップと、前記第２のフィルタ処理により得られた信号の成分を絶対値０に対して折り返すステップと、前記折り返しステップにより得られた信号から前記目的チャンネルの搬送波を除去する第３のフィルタ処理を行うステップと、前記第３のフィルタ処理の結果得られた信号を反転して前記目的チャンネルの信号を生成するステップとを有する。また、前記アナログ受信信号は、例えば、前記複数のチャンネル毎の前記信号が振幅変調、周波数変調又は位相変調されて多重化された信号である。
【００１７】
本発明の別の側面としての復調装置は、複数のチャンネル毎の信号が変調されているアナログ受信信号に対してフィルタ処理を行うフィルタ回路と、前記フィルタ回路の出力をデジタル信号に変換するＡ／Ｄ変換器と、前記Ａ／Ｄ変換器に対してチャンネル毎に数値演算を行って前記複数のチャンネル毎の前記信号を同時に復調する復調部とを有することを特徴とする。前記復調装置は、前記アナログ受信信号の周波数をより低い周波数に変換する変換部を更に有し、前記Ａ／Ｄ変換器は、前記より低い周波数を有する前記アナログ受信信号を前記デジタル信号に変換してもよい。これらの復調装置は上述の復調方法と同様の作用を奏する。
【００１８】
本発明の更なる目的又はその他の特徴は、以下、添付図面を参照して説明される好ましい実施例によって明らかにされるであろう。
【発明の効果】
【００１９】
本発明によれば、受信信号の品質劣化を防止すると共に回路の小型化を図ることが可能な復調装置及び方法を提供することができる。
【発明を実施するための最良の形態】
【００２０】
以下、図１乃至図３を参照して本発明による第１の実施例の受信器１００について説明する。ここで、図１は、受信器１００の概略ブロック図である。受信器１００はテレビ放送における変調信号から映像信号を複数のチャンネル同時に復調する。テレビ放送で使用される変調方式は，映像信号が振幅変調方式，音声信号が周波数変調方式となっている。
【００２１】
受信器１００は、図１に示すように、アンテナ１０２と、入力回路１０４と、高周波増幅器１０６と、フィルタ１０８と、アナログ／デジタル（Ａ／Ｄ）変換器１１０と、チャンネル１及び２に対してそれぞれ復調処理を行うチューナー１２０Ａ及び１２０Ｂ（なお、参照符号「１２０」はこれらを総括するものとする。）とを有する。
【００２２】
アンテナ１０２は、図示しない送信器からの信号を受信する。アンテナ１０２から入力された受信信号は、本実施形態では、複数のチャンネル毎の信号が変調され、多重化されているアナログ映像信号である。入力回路１０４は、受信信号が入力される回路である。入力回路は，全チャンネルにわたって，アンテナから受信信号を供給するフィーダーのインピーダンスと高周波増幅回路の入力インピーダンスの整合を行う。高周波増幅回路１０６は、受信信号の信号レベルをＡ／Ｄ変換器１１０で処理可能な適正なレベルまで増幅する。フィルタ１０８は、受信信号の周波数をＡ／Ｄ変換器１１０のナイキスト周波数以下に制限する。Ａ／Ｄ変換器１１０は、受信信号をデジタル信号に変換する。
【００２３】
チューナー１２０は、デジタル信号に数値演算を施して、チャンネル毎に数値演算を行って前記複数のチャンネル毎の前記信号を同時に復調する。各チューナー１２０は、バイパスフィルタ（ＢＰＦ）処理部１２２と、エンベロープ検出処理部１２４とを有する。ＢＰＦ処理部１２２は、デジタル信号に対してバンドパスフィルタ処理を行い、所定のチャンネルの信号のみを抽出する。ＢＰＦ処理部１２２の出力は、例えば、図３（ｂ）に示す信号ｇ（ｔ）のようになる。
【００２４】
エンベロープ検出処理部１２４は、選局されたチャンネルの受信ＡＭ信号から元映像信号を再生する。エンベロープ検出処理部１２４は、例えば、図２に示すように、絶対値処理部１２５と、ローパスフィルタ（ＬＰＦ）処理部１２６と、変換処理部１２７とを有する。ここで、図２は、エンベロープ検出処理部１２４の概略ブロック図である。絶対値処理部１２５は、負の信号部分を折り返して正の信号のみに変換する。絶対値処理部１２５の出力は、例えば、図３（ｂ）において、信号ｇ（ｔ）の負の信号部分を絶対値０に関して折り返したものに相当する図３（ｃ）の信号ｈ（ｔ）となる。ＬＰＦ処理部１２６は、絶対値処理部１２５の出力信号に対してローパスフィルタ処理を行って目的チャンネルの搬送波（キャリア）を除去し，図３（ｄ）の信号ｋ（ｔ）を得る。変換処理部１２７は、ここまで処理された信号を反転して目的チャンネルの信号である図３（ｅ）の映像信号ｖ（ｔ）を再生する。変換処理部１２７は、例えば、基準ＤＣ信号からｋ（ｔ）を減算処理することで実現可能である。なお、図３はエンベロープ検出処理部１２４よる信号波形図である。
【００２５】
以下、図４乃至図６を参照して本発明による第２の実施例の受信器１００Ａについて説明する。ここで、図４は、受信器１００Ａの概略ブロック図である。受信器１００Ａも受信器１００と同様にテレビ放送における変調信号から映像信号を複数のチャンネル同時に復調し、音声信号についても同様の構成で複数のチャネルに関する同時復調を行うことができる。
【００２６】
受信器１００Ａは、図４に示すように、アンテナ１０２と、入力回路１０４と、高周波増幅器１０６と、フィルタ１０８と、アナログ／デジタル（Ａ／Ｄ）変換器１１０と、チャンネル１及び２に対してそれぞれ復調処理を行うチューナー１３０Ａ及び１３０Ｂ（なお、参照符号「１３０」はこれらを総括するものとする。）とを有する。なお、図１と同一の部材には同一の参照符号を付して重複説明は省略する。
【００２７】
チューナー１３０は、デジタル信号に数値演算を施して、チャンネル毎に数値演算を行って前記複数のチャンネル毎の前記信号を同時に復調する。各チューナー１３０は、フィルタ処理部１３１と、キャリア再生処理部１３２と、乗算器１３３と、フィルタ処理部１３４とを有する。
【００２８】
フィルタ処理部１３１は、デジタル信号に対してバンドパスフィルタ処理を行い、所定のチャンネルの信号のみを抽出する。キャリア再生処理部１３２は、受信信号に同期したキャリアを再生する。キャリア再生処理部１３２は、図５に示すように、キャリア抽出処理部１４１と、基準信号生成部１４２と、位相比較処理部１４３と、位相算出処理部１４４と、キャリア再生処理部１４５とを含む。ここで、図５は、キャリア再生処理部１３２の概略ブロック図である。
【００２９】
キャリア抽出処理部１４１は、０レベルとの比較を行うことでその交差点を抽出する。この交差点が抽出したキャリア信号の位相を示している。抽出されたキャリア信号の例を図６（ａ）に示す。基準信号生成部１４２は、Ａ／Ｄ変換器１１０によるサンプリングクロックを分周してキャリア信号に最も近い周波数の信号を基準（方形波）信号として生成し、この方形波信号を位相比較処理部１４３に出力し，またこの方形波に同期した基準正弦波ｓｉｎωＳｔをキャリア再生処理部１４５に出力する。基準方形波信号の例を図６（ｂ）に示す。位相比較処理部１４３は抽出されたキャリア信号と基準方形波信号との位相比較を行う。位相比較結果を図６（ｃ）に示す。ＬＰＦ処理部１４４は位相比較結果にローパスフィルタ処理を行う。位相選択処理部では，ＬＰＦ処理部の出力レベルに応じて，基準正弦波信号の位相を進めたり，遅らせたりすることで，キャリア信号に同期した正弦波信号を生成する。本例では、レベルが高いと位相を進め、低いと位相を遅らせる。
【００３０】
乗算器１３３は、フィルタ処理部１３１により選択された受信信号をキャリア再生信号と乗算する。フィルタ処理部１３４は、所望の変調される前の元映像信号を抽出する。
【００３１】
以下に、振幅変調（ＡＭ）信号の復調処理の例を示す。元信号をｖ（ｔ）、変調信号をｇ（ｔ）とすると、変調信号は以下のように示される。
【００３２】
【数３】
2005151120.tif 000005
【００３３】
ここで、ｆ０を変調信号のキャリア周波数とするとω０＝２πｆ０となり、｛１＋ｋ×ｖ（ｔ）｝＞０である。
【００３４】
Ａ／Ｄ変換された受信信号ｇ（ｔ）は乗算器５０３により再生キャリア信号ｓｉｎω０ｔと乗算演算され、以下のような信号が得られる。
【００３５】
【数４】
2005151120.tif 000006
【００３６】
この信号は、フィルタ処理部１３４により、高周波信号部分ｃｏｓ２ω０ｔが除去され、以下のような信号が得られる。
【００３７】
【数５】
2005151120.tif 000007
【００３８】
更に、下記の式を解くことによって元信号ｖ（ｔ）が再生される。
【００３９】
【数６】
2005151120.tif 000008
【００４０】
ここで、Ａ０及びｋは定数であり同期信号のDCレベルを基準に算出される。
【００４１】
もちろんここで示される復調処理は，例えば処理クロックを２倍に早めて交互に処理を行うことが可能であり，またプロセッサを使用してプログラム処理することも可能である。
【００４２】
以下、図７及び図８を参照して本発明による第３の実施例の受信器１００Ｂについて説明する。ここで、図７は、受信器１００Ｂの概略ブロック図である。受信器１００Ｂも受信器１００と同様にテレビ放送における変調信号から映像信号を複数のチャンネルを同時に復調し、音声信号についても同様の構成で複数のチャネルに関する同時復調を行うことができる。
【００４３】
受信器１００Ｂは、図７に示すように、アンテナ１０２と、入力回路１０４と、高周波増幅器１０６と、フィルタ１０８と、アナログ／デジタル（Ａ／Ｄ）変換器１１０Ａと、ミキサ１１２と、局部発信器１１４と、チャンネル１及び２に対してそれぞれ復調処理を行うチューナー１３０Ａ及び１３０Ｂとを有する。なお、図４と同一の部材には同一の参照符号を付して重複説明は省略する。
【００４４】
受信器１００Ｂは、ミキサ１１２及び局部発信器１１４を有する点で受信器１００Ａとは相違する。ミキサ１１２は、高周波増幅器１０６からの出力信号と局部発信器１１４の出力信号とをミキシングし、フィルタ１０８に出力する。本実施形態の復調方法は、ミキサ１１２が、局部発信機１１４の信号を利用して、アナログ受信信号の周波数をより低い周波数に変換し、Ａ／Ｄ変換器１１０Ａがより低い周波数帯域を有するアナログ受信信号に対してＡ／Ｄ変換を実行することを可能にする。この結果、Ａ／Ｄ変換器１１０ＡはＡ／Ｄ変換器１１０よりも小さな帯域幅を有する点でＡ／Ｄ変換器１１０とは相違し、これにより、Ａ／Ｄ変換器１１０ＡはＡ／Ｄ変換器１１０よりも安価に構成することができる。
【００４５】
具体的には、受信器１００Ａにおいては、図１４に示すチャンネルの帯域に対してＡ／Ｄ変換器１１０は通常は２倍の帯域を必要とするため、チャンネル１及び２に対しては通常は１０１．７５ＭＨｚ×２の帯域幅、即ち、２０３．５ＭＨｚの帯域幅を必要とする。一方、受信器１００Ｂにおいては、局部発信器１１４は、例えば、９０ＭＨｚの周波数を有する信号を出力し、ミキサ１１２は、これを高周波増幅器１０６からの出力信号から減算する。これは、図１４において、チャンネル１の開始周波数が０ＭＨｚになることを意味し、チャンネル２の終了周波数は１０２ＭＨｚから１２ＭＨｚになることを意味する。この結果、Ａ／Ｄ変換器１１０Ａは２４ＭＨｚの帯域幅のみ有すればよいことになる。かかる様子を図８に示す。ここで、図８は、低域変換された図１４に示す波形図である。
【００４６】
次に、周波数変調（ＦＭ）変調信号の復調方法について図９乃至図１２を参照して説明する。元信号をｍ（ｔ）、変調信号をｇ（ｔ）とすると、ＦＭ変調信号は下記のように示される。
【００４７】
【数７】
2005151120.tif 000009
【００４８】
【数８】
2005151120.tif 000010
【００４９】
ここで、ｆｄは変調指数と呼ばれる。瞬時位相は下記のように求められる。
【００５０】
【数９】
2005151120.tif 000011
【００５１】
図９にＦＭ信号の復調処理部を示す。図９は図１の１２４の変形例である。同図に示すように、復調処理部は図１におけるＢＰＦ処理部１２２に接続され、微分処理部１６０とエンベロープ検出処理部１２４とを有する。受信信号を数式８とすると、微分回路１６０は、以下のような信号を出力する。
【００５２】
【数１０】
2005151120.tif 000012
【００５３】
微分処理部１２３は、例えば、図１０に示すように、レジスタ１６２と、演算部１６４とを含み、サンプル単位で遅延した信号との差分処理により実現される。一般的に、レジスタ１６２は、入力を単に遅延していることを示しており、遅延をｚ−１と表すと、その出力はｇ（ｔ）×ｚ−１となる。微分処理された信号は、エンベロープ検出処理部１２４により、ＡＭ復調処理と同様に絶対値処理で負信号が正信号に変換され、その後、ＬＰＦ処理により、数式１０の正弦波部分が除去され、数式１１に示す信号として取り出される。
【００５４】
【数１１】
2005151120.tif 000013
【００５５】
その後、変換処理部１２７により、ｍ（ｔ）が復調される。
【００５６】
次に、位相変調（ＰＭ）変調信号の復調方法について図１１及び図１２を参照して説明する。元信号をｍ（ｔ）、変調信号をｐ（ｔ）とすると、ＰＭ変調信号は以下のように示される。
【００５７】
【数１２】
2005151120.tif 000014
【００５８】
【数１３】
2005151120.tif 000015
【００５９】
図１１にＰＭ信号の復調処理部を示す。同図に示すように、復調処理部は、積分処理部１７０と、微分処理部１６０と、エンベロープ検出処理部１２４とを有する。受信信号を数式１３とすると、微分回路１６０は、以下のような信号を出力する。
【００６０】
【数１４】
2005151120.tif 000016
【００６１】
積分処理部１７０は、例えば、図１２に示すように、演算部１７２と、レジスタ１７４とを含み、入力サンプルの累算処理により実現される。積分処理された信号は、微分処理部１６０に出力され、微分回路１６０は、以下のような信号を出力する。
【００６２】
【数１５】
2005151120.tif 000017
【００６３】
微分回路１６０の出力はエンベロープ検出処理部１２４に供給され、ＡＭ復調処理と同様に絶対値処理で負信号が正信号に変換され、その後、ＬＰＦ処理により、数式１０の正弦波部分が除去され、数式１６に示す信号として取り出される。
【００６４】
【数１６】
2005151120.tif 000018
【００６５】
その後、変換処理部１２７により、ｍ（ｔ）が復調される。このように、受信信号を一旦積分処理した後は、ＦＭ信号の復調処理と同一処理が行われる。
【００６６】
このように、本発明により、複数のチャンネルの信号を同時に復調することが可能となるため、ホームサーバーなどで複数のチャンネルの信号を蓄積する場合、チューナーを複数必要とならず、例えば、一のデジタルシグナルプロセッサ（ＤＳＰ）として構成することができるので、小型化及びコストダウンを図ることができる。また、デジタル処理では受信信号の減衰がないために高品位な復調を行うことができる。
【００６７】
以上、本発明の好ましい実施形態について説明したが、本発明はこれらの実施形態に限定されないことはいうまでもなく、その要旨の範囲内で種々の変形及び変更が可能である。例えば、変調信号は、振幅変調、周波数変調、位相変調に限定されず、振幅位相変調、拡散変調、補符号又は相補コードキー入力（Ｃｏｍｐｌｅｍｅｎｔａｒｙ ＣｏｄｅＫｅｙｉｎｇ：ＣＣＫ）変調、直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ：ＯＦＤＭ）変調などその他の変調方式にも適用することができる。ここで、「ＣＣＫ」とは、ＩＥＥＥ８０２．１１ｂ準拠の２．４ＧＨｚ帯利用の無線ＬＡＮで使用され、最大１１Ｍｂｐｓのデータ伝送速度を実現する変調方式をいう。「ＯＦＤＭ」とは、多数の直交するキャリア信号を多重化するデジタル変調方式である。
【図面の簡単な説明】
【００６８】
【図１】本発明の第１の実施形態の受信器の概略ブロック図である。
【図２】図１に示す受信器のエンベロープ検出処理部の構成例を示す概略ブロック図である。
【図３】図２に示すエンベロープ検出処理部による信号波形図である。
【図４】本発明の第２の実施形態の受信器の概略ブロック図である。
【図５】図１に示す受信器のキャリア再生処理部の構成例を示す概略ブロック図である。
【図６】図５に示すキャリア再生処理部による信号波形図である。
【図７】本発明の第３の実施形態の受信器の概略ブロック図である。
【図８】図７に示す受信器のミキサによって低域変換された、テレビ放送のチャンネル配置例を示す信号波形図である。
【図９】周波数変調（ＦＭ）信号の復調処理部を示す概略ブロック図である。
【図１０】図９に示す復調処理部の微分処理部の構成を示す図である。
【図１１】振幅変調（ＰＭ）信号の復調処理部を示す概略ブロック図である。
【図１２】図１１に示す復調処理部の積分処理部の構成を示す図である。
【図１３】従来の受信器の構成を示す概略ブロック図である。
【図１４】通常のテレビ放送のチャンネル配置例を示す信号波形図である。
【符号の説明】
【００６９】
１００、１００Ａ、１００Ｂ            受信器
１０８                                フィルタ
１１０                                Ａ／Ｄ変換器
１１２                                ミキサ
１１４                                局部発信器
１２０Ａ、１２０Ｂ                    チューナー
１２２                                ＢＰＦ処理部
１２４                                エンベロープ検出処理部
１３０Ａ、１３０Ｂ                    チューナー
１３１                                フィルタ処理部
１３２                                キャリア再生処理部
１３３                                乗算部
１３４                                フィルタ処理部
【図２】
2005151120.tif 000019
【図１】
2005151120.tif 000020
【図３】
2005151120.tif 000021
【図４】
2005151120.tif 000022
【図５】
2005151120.tif 000023
【図６】
2005151120.tif 000024
【図７】
2005151120.tif 000025
【図８】
2005151120.tif 000026
【図９】
2005151120.tif 000027
【図１０】
2005151120.tif 000028
【図１１】
2005151120.tif 000029
【図１２】
2005151120.tif 000030
【図１３】
2005151120.tif 000031
【図１４】
2005151120.tif 000032